(57)【要約】【課題】社会保障が厳しくなる社会状況の中、国から指導で企業の定年退職廃止又は満７０歳までの引下げが義務付けられる状況で、高齢者及び障害者の雇用確保。空港施設内の緑地帯で年中にわたり行われる草刈に要する人力及び動力器材・動力機械等の手間、草の成長抑制・虫類の繁殖抑制・鳥の飛来及び繁殖抑制及び温室効果ガス排出抑制手段。年数回にわたる同草刈後に発生する鳥と航空機との鳥衝突（バードストライク）防止。【解決手段】山羊の空港施設内での飼育は、高齢者が障害者の送迎及び介助を行うと共に、障害者と一緒に行うことにより高齢者及び障害者の雇用確保が可能である。山羊の空港施設内での飼育は、完全な自然循環型草刈方法による省力化・温室効果ガス排出抑制・草の成長抑制・虫類の繁殖抑制・鳥の飛来及び繁殖抑制・鳥と航空機との鳥衝突（バードストライク）防止が常に可能である。【選択図】図１
2013162765.tif 000002
【特許請求の範囲】
【請求項１】
高齢者は、障害者の送迎及び介助を行うと共に、障害者と一緒に就労する雇用体系。
【請求項２】
山羊を空港施設内で飼育することによる、完全な自然循環型草刈。
【請求項３】
山羊を空港施設内で飼育することによる、恒常的な完全な自然循環型草刈りがもたらす、鳥と航空機の鳥衝突（バードストライク）防止。
【請求項４】
山羊を空港施設内で飼育方法のうちの係留飼育に用いる係留杭、係留ロープ及び係留範囲と場所。
【請求項５】
山羊を空港施設内で飼育することによる、完全な自然循環型草刈がもたらす二酸化炭素等の温室効果ガス排出の抑制。
【請求項６】
雨水を利用した水洗式し尿浄化処理システムがもたらす、山羊小屋での排泄物により発生するメタンガス等の温室効果ガス発生の抑制、
【発明の詳細な説明】
【技術分野】
【０００１】
本発明は、高齢者及び障害者の雇用を確保すると共に、高齢者及び障害者により空港施設内での山羊の飼育と係留に関するものである。
【背景技術】
【０００２】
社会保障が厳しくなる社会状況の中、国から指導で企業の定年退職廃止又は満７０歳までの引下げが義務付けられる状況で、高齢者及び障害者の雇用確保の実用に共される。
【０００３】
空港施設以外の公共施設内の緑地で、放牧及び係留により山羊が飼育され、山羊が同施設内の草を餌として食することにより、草刈の手間を省くとして実用に共されている。
【０００４】
実用の山羊は、恒常的に公共施設内の緑地の草を食し、食後の草丈を１０数ｃｍ以下に抑制できることを確認するものである。草丈を１０数ｃｍ以下に抑制できることは、鳥の餌となる草の種やバッタ等が繁殖し、地虫を狙って多くの鳥の飛来抑制も実用上十分あった。
【０００５】
草刈機械などの動力装置及び動力機械を使用しないため、山羊による温室効果ガスの排出抑制も実用上十分であった
【０００６】
係留飼育は、係留地点の中心から約半径１０ｍの円状になる長さのロープで係留することにより、山羊１頭の飼育及び草丈抑制に実用上十分であった。
【先行技術文献】
【特許文献】
【０００７】
【特許文献１】現時点での高齢者及び障害者の雇用に関する特許文献は確認できない。
【特許文献２】特許公開２００８−８６２７０
【非特許文献】
【０００８】
【非特許文献１】ニッセイ基礎研REORT 社会保障特集号
【非特許文献２】清家篤・山田篤裕（2004）『高齢者就業の経済学』、日本経済新聞社
【非特許文献３】JILPT（2007）「高齢者継続雇用に向けた人事労務管理の現状と課題」、労働政策研究・研修機構『労働政策研究報告書No.83』
【非特許文献４】JILPT（2008）「60歳以降の継続雇用と職業生活に関する調査−高齢者継続雇用に関する従業員アンケート調査−」、労働政策研究・研修機構『調査シリーズNo.47』
【非特許文献５】征矢紀臣（1997）『高年齢者雇用対策の推進』、労務行政研究所
【非特許文献６】ニッセイ基礎研究所（2007）『定年前・定年後』、朝日新聞社
【非特許文献７】ニッセイ基礎研究所（2002）『多様で柔軟な働き方を選択できる雇用システムのあり方に関する研究会報告書（厚生労働省委託調査）』
【非特許文献８】「障害者の経済学」（中島隆信、東洋経済新報社）
【非特許文献９】「職業リハビリテーション学〜キャリア発達と社会参加に向けた就労支援体系〜」（松為信雄、菊池恵美子、協同医書出版社）
【非特許文献１０】ホームページ  四国農業試験場・総合研究部・総合研究第２チームによる「遊休棚田の雑草・土壌管理のための山羊利用」
【非特許文献１１】ホームページ  群馬県本部／群馬県職員労働組合・メェーメェーくらぶによる「山羊は市街化遊休地を救えるか！」
【非特許文献１２】ホームページ  鳥取県八頭総合事務所農林局による「和牛・ヤギの放牧事例」
【非特許文献１３】社団法人日本緬羊協会による平成 13 年度めん羊山羊生産物利用促進事業山羊生産物利用実態調査報告書3（山羊生産及び肉山羊流通・生産物販売の実態）
【非特許文献１４】ホームページ  hh.em-netによる「バード・ストライク対策」
【発明の概要】
【発明が解決しようとする課題】
【０００９】
定年退職廃止及び満７０歳定年まで定年引下げても高齢者が就労できる雇用体系を確保しなければならない。
【００１０】
少子高齢化が進み、高齢者への社会保障が現役就業者への負担軽減手段がない。
【００１１】
障害者のための雇用業種、雇用機会がとても少ない。
【００１２】
年中を通して草刈を要する空港施設内において、専ら草刈機械などの動力装置又は動力機械並びに人力により行われ、多くの二酸化炭素等の温室効果ガスを排出している。
【００１３】
草の成長を抑制するため年間数回に分けた時期（草刈時期）を設定する必要があり、多くの費用と労力と機材を設置しなければならない。
【００１４】
空港施設内に及びその周辺に飛来する鳥による、鳥と航空機との衝突（バードストライク）防止の有効な手段がない。
【課題を解決するための手段】
【００１５】
高齢者が障害者を送迎し、就労時は高齢者が障害者を介助しながら就労する勤務体系とする。
【００１６】
空港施設内の緑地帯で、山羊を飼育する
【発明の効果】
【００１７】
高齢者及び障害者に安定した雇用を確保することができる。
【００１８】
高齢者及び障害者の社会参加活動に貢献できる。
【００１９】
山羊との触れ合いによる高齢者及び障害者のサイコセラピーに役立つ。
【００２０】
空港施設内の緑地帯で、山羊を飼育することにより恒常的に草丈１０数ｃｍ」以下に抑制する。
【００２１】
完全な自然循環型草刈による温室効果ガス排出の抑制。
草の成長→家畜の草食→排泄→糞コロガシが地中に搬入→糞コロガシ及び微生物が栄養素に分解→草の成長といった完全循環型草刈。
【００２２】
二酸化炭素等の温室効果ガス排出を抑制することができる。
【００２３】
草刈の手間を省くことができ、動力装置及び動力機械の使用を抑制することができる。
【００２４】
鳥の餌となる草の種やバッタ等が繁殖し、地虫等の虫の繁殖を抑制することができる。
【００２５】
草の種やバッタ等及び地虫等の虫を餌にする鳥類の飛来・繁殖を抑制することができる。鳥と航空機との衝突（バードストライク）防止の効果を高められる。
【図面の簡単な説明】
【００２６】
【図１】高齢者及び障害者の雇用体系実施方法を示した説明図及び山羊による空港施設内での完全な自然循環型草刈の解説図ある。
【図２】山羊による空港施設内での完全な自然循環型草刈の説明図のつづきである。
【図３】鳥と航空機の衝突に金する鳥と航空機の関係図である。係留用杭及び杭打用ハンマーブロックの説明図である。
【図４】山羊と杭を繋ぐ係留用ロープ図及び雨水利用浄化システムの解説図である。
【図５】空港内制限区域内での山羊の係留草刈可能範囲及び制限区域外での放牧草刈可能範囲の説明である。
【発明を実施するための形態】
【００２７】
山羊の飼育といった、高齢者及び障害者が就労可能な軽作業のため雇用確保の実現が可能である。
高齢者は、障害者の送迎及び介助を行うと共に、障害者と一緒に山羊の飼育を行うことにより、同時に山羊との触れ合いにより高齢者及び障害者のサイコセラピーの実現が可能である。
【００２８】
空港施設内の緑地帯のうち誘導路より外側の緑地帯では、航空機の離発着に影響を与えないため、常時係留式飼育草刈の実現が可能である。
空港施設外周部については、防護柵を用いた放牧式飼育草刈の実現が可能である。
空港施設内のうち滑走路と誘導路間の緑地帯では、滑走路側端より１０ｍ離れた地点を円の外周とした、半径１０ｍの円の中心をとした係留式飼育草刈の実現が可能である。
【実施例】
【００２９】
那覇市識名1-663  那覇市立大石公園で飼育されている山羊１０頭が公園内の草を餌にすると同時に草刈の役目を果たし、草刈の手間を省くことに貢献している。
【産業上の利用可能性】
【００３０】
高齢者及び障害者の雇用を確保することができる。
【００３１】
草刈機械などの動力装置及び動力機械の使用を制限するため二酸化炭素等温室効果ガスの排出を抑制
する。併せて、化石燃料の使用量をも抑制することができる。
【００３２】
空港施設内滑走路周辺及び誘導路周辺緑地帯の草の成長を常に抑制することにより、鳥の餌となる草の種やバッタ等が繁殖し、地虫を含む虫類及び同虫類を餌とする小動物の繁殖も併せて抑制することができる。
【００３３】
草の種、虫類及び小動物の抑制が鳥類の繁殖及び飛来をも抑制することになり、航空機事故に起因する鳥と航空機の鳥衝突（バードストライク）防止に有効となる。
【００３４】
成長した山羊からは、山羊乳による山羊乳加工業・肉は食肉加工業・毛皮は毛皮加工業・毛は筆加工業にとそれぞれの産業の原材料として活用され、各分野の産業に貢献する。
【符号の説明】
【００３５】
高齢者及び障害者の雇用体系（ニュービジネススタイル）
【００３６】
山羊の飼育場所
【００３７】
係留杭
【００３８】
防護柵
【００３９】
山羊小屋
【００４０】
係留草刈可能範囲
【００４１】
放牧草刈可能範囲
【図１】
2013162765.tif 000003
【図２】
2013162765.tif 000004
【図３】
2013162765.tif 000005
【図４】
2013162765.tif 000006
【図５】
2013162765.tif 000007